(57)【要約】【課題】使用者が電動送風機の回転数の切替毎に手元スイッチを毎回目視で確認する必要がなく、使い勝手の良い電気掃除機を提供する。【解決手段】吸込口を有する吸込具と、前記吸込具に吸引風を発生させる電動送風機と、前記吸込具の動きを操作する操作部と、前記操作部の動作方向とその動作加速度を検出する加速度センサーを備え、前記加速度センサーの出力信号により前記電動送風機の回転数を制御する。【選択図】図２
2011206351.tif 000002
【特許請求の範囲】
【請求項１】
吸込口を有する吸込具と、前記吸込具に吸引風を発生させる電動送風機と、前記吸込具の動きを操作する操作部と、前記操作部の動作方向とその動作加速度を検出する加速度センサーを備え、前記加速度センサーの出力信号により前記電動送風機の回転数を制御することを特徴とした電気掃除機。
【請求項２】
加速度センサーを使用者の手元近傍に配置したことを特徴とした請求項１記載の電気掃除機。
【請求項３】
加速度センサーの出力信号によって電動送風機の回転数を段階的または無段階的に変えることを特徴とした請求項１または２記載の電気掃除機。
【請求項４】
加速度センサーの検知状態を表示する表示部を備えたことを特徴とした請求項１〜３のいづれか１項に記載の電気掃除機。
【請求項５】
加速度センサーによる検出の有効または無効を切り替えを行う加速度センサー切替手段を備えたことを特徴とした請求項１〜４のいづれか１項に記載の電気掃除機。
【請求項６】
加速度センサー切り替え手段を操作している間だけ、前記加速度センサーによる制御を用行うことを特徴とした請求項５記載の電気掃除機。
【請求項７】
加速度センサーの出力信号による電動送風機の回転数を、使用者があらかじめ設定できるようにしたことを特徴とした請求項１〜６のいづれか１項に記載の電気掃除機。
【発明の詳細な説明】
【技術分野】
【０００１】
本発明は加速度センサーの出力信号によって電動送風機の回転数を直感的かつ簡単に制御するものである。
【背景技術】
【０００２】
従来、この種の電気掃除機の電動送風機の回転数制御は、使用者が手元近傍のスイッチを押すことによって行われていた（例えば、特許文献１参照）。
【先行技術文献】
【特許文献】
【０００３】
【特許文献１】特開２００７−１５９７６３号公報
【発明の概要】
【発明が解決しようとする課題】
【０００４】
しかしながら、上記構成では、電動送風機の回転数を制御する為に手元スイッチの表示を確認してからスイッチを押す必要があり、回転数の切替毎に手元スイッチを毎回目視で確認する必要があった。本発明は上記課題を解決するもので、使い勝手のよい電気掃除機を提供することを目的とするものである。
【課題を解決するための手段】
【０００５】
上記従来の課題を解決するために本発明は、吸込口を有する吸込具と、前記吸込具に吸引風を発生させる電動送風機と、前記吸込具の動きを操作する操作部と、前記操作部の動作方向とその動作加速度を検出する加速度センサーを備え、前記加速度センサーの出力信号により前記電動送風機の回転数を制御するもので、使用者がわざわざスイッチの場所を確認しなくても電動送風機の回転数を制御することが可能になり、使い勝手のよい電気掃除機を提供できるものである。
【発明の効果】
【０００６】
本発明の電気掃除機は、電動送風機の回転数の制御を簡単にできるものである。
【図面の簡単な説明】
【０００７】
【図１】本発明の実施の形態１、２を示す電気掃除機の全体図
【図２】本発明の実施の形態１を示す電気掃除機の回路図
【図３】本発明の実施の形態１を示す電気掃除機の操作説明図
【図４】本発明の実施の形態２を示す電気掃除機の操作部近傍図
【図５】本発明の実施の形態２を示す電気掃除機の回路図
【発明を実施するための形態】
【０００８】
第１の発明は、吸込口を有する吸込具と、前記吸込具に吸引風を発生させる電動送風機と、前記吸込具の動きを操作する操作部と、前記操作部の動作方向とその動作加速度を検出する加速度センサーを備え、前記加速度センサーの出力信号により前記電動送風機の回転数を制御するもので、使用者がわざわざスイッチの場所を確認しなくても電動送風機の回転数を制御することが可能になり、使い勝手のよい電気掃除機を提供できるものである。
【０００９】
第２の発明は、加速度センサーを使用者の手元近傍に搭載することを特徴としたもので、手元近傍に加速度センサーを搭載することでより確実に操作を行うことが可能となり、使い勝手のよい電気掃除機を提供できるものである。
【００１０】
第３の発明は、加速度センサーの出力信号によって電動送風機の回転数を段階的または無段階的に変えることを特徴としたもので、直感的に入力を変化させることが可能となり、使い勝手のよい電気掃除機を提供できるものである。
【００１１】
第４の発明は、加速度センサーの検知状態を表示する表示部を備えることを特徴としたもので、表示部で動作を確認することでより確実に操作をすることが可能となり、使い勝手のよい電気掃除機を提供できるものである。
【００１２】
第５の発明は、加速度センサーの有効、無効を切り替えを行う加速度センサー切替手段を備えることを特徴としたもので、必要ないときは加速度センサーの検知を無効にすることで使用者の意図しない動作をすることを防止できる為、使い勝手のよい電気掃除機を提供できるものである。
【００１３】
第６の発明は、加速度センサー有効ボタンを押している間だけ加速度センサーを用いた制御を可能とすることを特徴としたもので、加速度センサーの有効、無効を手軽に切り替えることで、使い勝手のよい電気掃除機を提供できるものである。
【００１４】
第７の発明は、加速度センサーの出力信号による電動送風機の回転数を、使用者があらかじめ設定できるようにしたもので、使用者が自分の好みに合った操作方法を設定することができるようになるため、使い勝手のよい電気掃除機を提供できるものである。
【００１５】
以下、本発明の実施の形態について、図面を参照しながら説明する。なお、この実施の形態によりこの発明が限定されるものではない。
【００１６】
（実施の形態１）
本発明の第１の実施の形態について説明する。図１は、本実施の形態１における電気掃除機の全体図である。掃除機本体１は、後部に電動送風機２を内蔵し、前部に塵埃を捕集する集塵室３が配され、掃除機本体１の前部には、ホース４が設けられている。ホース４の他端には、使用者が手で持ち吸込み具８を操作する操作部５が設けられており、操作部５の内部には使用者が操作部５を動かした方向と加速度に応じた電気信号を出力する加速度センサー６が内蔵されている。
【００１７】
７は伸縮自在の延長管で、他端は塵埃掻き上げ用の吸込み具８に着脱自在に接続される。又、吸い込み部８には電動送風機２の回転数を表示する、表示部９が配されている。掃除機本体１の後部には、コンセント（商用電源）に接続して、掃除機本体１に内蔵されている回路基板１０に電源を供給するための電源コードプラグ１１が設けられている。
【００１８】
図２は、本実施の形態における回路図である。回路基板１０には電動送風機２、加速度センサー６、表示部９、電源コードプラグ１１が接続され、内部にはマイクロプロセッサからなる制御部１２があり、加速度センサー６から入力された信号に応じて、電動送風機２の回転数制御や表示部９の表示切替の制御を行っている。また、制御部１２は加速度センサー６が動いた加速度に応じて変化する入力信号レベルが一定値を超えたことを判定する動作認識閾値１３も有する。
【００１９】
図３は、本実施の形態における電気掃除機の操作説明図である。上記構成において図１、図２および図３を参照しながら動作を説明する。掃除機本体１の操作は使用者が操作部５を前後、上下、左右に動かすことで行う。このとき操作部５に内蔵された加速度センサー６が操作部５の動きを検知し、検知した動きの加速度が動作認識閾値１３を上回ったときにあらかじめ割り当てられた電動送風機２の回転数制御を行う。
【００２０】
例えば操作部５の前への動きに強ポジション、後ろへの動きに弱ポジション、下への動きに停止を割り当てた場合、使用者が操作部５を前に動かすと電装送風機２が高速回転し、強い吸引力を発生させる。次に使用者が操作部５を後ろに動かした場合、電動送風機２は低速回転し使用者は低騒音で掃除を行うことが可能となる。また同様に使用者が操作部５を下に動かした場合、電装送風機２は停止する。
【００２１】
以上の動作によって、使用者は電動送風機２の回転数の制御を操作をするために、掃除箇所から目を外す必要がなくなり掃除しながら回転数を自在に制御できることにより使い勝手のよい電機掃除機を使用者に提供できる。さらに、加速度センサー６の認識した信号を表示部９に表示することで、使用者が加速度センサー６の認識信号を容易に認識することが可能となり、より直感的に操作を行うことが可能となり、使い勝手のよい電気掃除機を使用者に提供することが出来る。
【００２２】
また、このときに動作認識閾値１３を加速度の強さ毎に複数個設け、加速度の強さによって電動送風機２の回転速度を変化させる動作としても良い。上記動作によってより直感的に掃除機の操作が可能となり、使い勝手の良い電気掃除機を使用者に提供できる。
【００２３】
（実施の形態２）
本発明の第２の実施の形態について説明する。なお、上記実施の形態と同一部分については同一符号を付してその説明を省略する。図４は、本実施の形態における操作部近傍の図である。操作部５近傍に加速度センサー切り替えスイッチ２１と、強、中、弱、切、記録の５つのボタンからなる操作記憶ボタン部２２を有する。また掃除機本体１には回路基板２３が内蔵されている。
【００２４】
図５は、本実施の形態における回路図である。回路基板２３には加速度センサー切り替えスイッチ２１と、操作記憶ボタン部２２が接続され、内部にはマイクロプロセッサからなる制御部２４があり、前記制御部２４は内部に操作記憶ボタン部２２が押されている間に操作記憶ボタン部２２と加速度センサー６から入力された信号を記録する操作記録部２５を有する。
【００２５】
上記構成において図１、３、４および図５を参照しながら動作を説明する。掃除機本体１の操作は使用者が加速度センサー切り替えスイッチ２１を押した後に操作部５を前後、上下、左右に動かすこと行う。このとき操作部５に内蔵された加速度センサー６が操作部５の動きを検知し、あらかじめ割り当てられた電動送風機２の回転数制御を行う。
【００２６】
例えば操作部５の前への動きに強ポジション、後ろへの動きに弱ポジション、下への動きに停止を割り当てた場合、使用者が操作部５を前に動かすと電装送風機２が高速回転し、強い吸引力を発生させる。次に使用者が操作部５を後ろに動かした場合、電動送風機２は低速回転し使用者は低騒音で掃除を行うことが可能となる。また同様に使用者が操作部５を下に動かした場合、電装送風機２は停止する。
【００２７】
以上の動作によって、使用者は電動送風機２の回転数の制御を操作をするために、掃除箇所から目を外す必要がなくなり掃除しながら回転数を自在に制御でき、且つ操作部５を少し動かすだけでも電動送風機２の回転数の制御ができることにより使い勝手のよい電機掃除機を使用者に提供できる。このときに加速度センサー切り替えスイッチ２１を押している間だけ、電動送風機２の回転数の制御を可能としてもよい。上記制御とすることで、より確実に使用者が意図したときだけ電動送風機２の回転数の制御が可能となり、より使い勝手のより電気掃除機を使用者に提供できる。
【００２８】
また、使用者が操作記憶ボタン部２２の記録ボタンと操作記憶ボタン部２２の強、中、弱、切のいずれかのボタンを押しながら、操作部５を前後、上下、左右に動かすことで、操作記録部２５に操作記憶ボタン部２２の強、中、弱、切それぞれに任意に操作部５の動作を記録することが可能となり、より使用者に合った使い勝手のよい電気掃除機を提供できる。
【産業上の利用可能性】
【００２９】
以上のように、本発明にかかる電気掃除機は、加速度センサーによって使用者が簡単に吸引力の制御ができ、使用者が掃除箇所から目を外さずに吸引力の制御が可能となるため、より使用勝手の電気掃除機を提供することができ、電気掃除機全てに特に有用である。
【符号の説明】
【００３０】
１    掃除機本体
２    電動送風機
５    操作部
６    加速度センサー
８    吸込み具
９    表示部
２１  加速度センサー切り替えスイッチ（手段）
２２  操作記憶ボタン部
２５  操作記録部
【図１】
2011206351.tif 000003
【図２】
2011206351.tif 000004
【図３】
2011206351.tif 000005
【図４】
2011206351.tif 000006
【図５】
2011206351.tif 000007